(57)【要約】【課題】  防犯上の問題を解消することができ、安全性に不安が生じることもなくなり、しかも名札を制服の胸に取り付けたり取り外したりする面倒な作業がなくなって、校内での名札の携行率を高めることができる名札装着具を提供する。【解決手段】  生徒手帳カバー２の上端部に名札３８を装着可能な名札装着体の上端部が連結されて、名札装着体が生徒手帳カバー２に対して前側から重合するように生徒手帳カバー２と名札装着体との連結部分で屈曲可能とされている。また、前記名札装着体が名札３８を収納可能な名札ケース３であり、名札ケース３の上端部が可撓性を有する連結帯６を介して生徒手帳カバー２の上端部に連結されている。【選択図】図１
0003175100.tif 000002
【実用新案登録請求の範囲】
【請求項１】
生徒手帳カバー（２）の上端部に名札（３８）を装着可能な名札装着体の上端部が連結されて、名札装着体が生徒手帳カバー（２）に対して前側から重合するように生徒手帳カバー（２）と名札装着体との連結部分で屈曲可能とされていること特徴とする名札装着具。
【請求項２】
前記名札装着体が名札（３８）を収納可能な名札ケース（３）であり、名札ケース（３）の上端部が可撓性を有する連結帯（６）を介して生徒手帳カバー（２）の上端部に連結されていること特徴とする請求項１に記載の名札装着具。
【請求項３】
前記名札ケース（３）は、前シート体（２７）と後シート体（２８）とを有し上端側に名札挿入口（２９）が形成された前後に扁平な袋状とされ、名札ケース（３）の少なくとも前シート体（２７）が透明性を有し、後シート体（２８）の中央部に名札抜取孔（３０）が形成されていることを特徴とする請求項２に記載の名札装着具。
【請求項４】
前記名札（３８）は、台布（３３）の前面側にネームプレート（３４）とクラスバッジ（３５）と委員バッチ（３６）とを取り付けてなり、名札ケース（３）にその名札挿入口（２９）から挿脱自在に収納可能とされていることを特徴とする請求項３に記載の名札装着具。
【請求項５】
前記名札（３８）は、必要事項を印刷可能なカードで構成され、名札ケース（３）にその名札挿入口（２９）から挿脱自在に収納可能とされていることを特徴とする請求項３に記載の名札装着具。
【請求項６】
前記名札装着体がネームプレート（３４）を縫い付け可能な台布（４７）であること特徴とする請求項１に記載の名札装着具。
【請求項７】
前記台布（４７）の前面側にネームプレート（３４）が縫い付けられると共に、クラスバッジ（３５）と委員バッチ（３６）とが取り付けられていること特徴とする請求項６に記載の名札装着具。
【請求項８】
前記名札装着体が名札（３８）を縫い付け可能な縫い代（４９）であり、縫い代（４９）の上端部が可撓性を有する連結帯（６）を介して生徒手帳カバー（２）の上端部に連結され、前記縫い代（４９）の下端部に、台布（３３）の前面側にネームプレート（３４）とクラスバッジ（３５）と委員バッチ（３６）とを取り付けてなる名札（３８）を縫い付けるようにしたことを特徴とする請求項１に記載の名札装着具。
【考案の詳細な説明】
【技術分野】
【０００１】
本考案は、名札を制服等の胸に吊り下げるための名札装着具に関するものである。
【背景技術】
【０００２】
名札を制服等の胸に取り付ける場合、台布の前面側にネームプレートを縫い付けると共に、クラスバッジに後方突設したねじ軸を台布に開けた孔を介して台布の前面側から裏面側に挿通し、台布の裏面側でねじ軸に螺合するナットで締め付けて固定することにより、台布の前面側にクラスバッジを取り付け、また、委員バッジをクラスバッジと同様に台布の前面側に取り付け、これにより名札を台布とネームプレートとクラスバッジと委員バッジとで構成し、この名札を制服の胸に取り付けるようにしていた。
そして、従来では、上記のように構成した名札を制服の胸に取り付ける方法として、名札を制服の胸に縫い付ける方法と、名札を安全ピンで制服の胸に着脱するようにし、生徒が校内に入ると名札を安全ピンで制服の胸に取り付け、校外にでるときに名札を取り外すようにする方法と、制服の胸に面ファスナーやボタンを取り付けて、この面ファスナーやボタンで名札を着脱自在に取り付けるようにし、生徒が校内に入ると名札を制服の胸に面ファスナーやボタンで取り付け、校外にでるときに名札を取り外すようにする方法が考えられていた。
【先行技術文献】
【特許文献】
【０００３】
特許文献は、発見されなかったので、記載を省略する。
【考案の概要】
【考案が解決しようとする課題】
【０００４】
しかし、従来の場合、名札を制服の胸に縫い付ける方法では、生徒が校内から校外にでた場合も名札を取り付けておくようになり、防犯上の問題が生じていた。
また、名札を安全ピンで制服の胸に着脱する方法では、毎日の名札の着脱する作業が必要になり不便であるし、安全ピンの安全性にも不安が生じた。
また、制服の胸に面ファスナーやボタンを取り付ける方法では、安全ピンを使用する場合のように安全性に不安が生じることはなくなるが、名札を忘れる生徒、名札を紛失する生徒、名札を付ける作業を面倒くさがる生徒が増え、校内での名札の携行率が低くなり、このため、生活指導にも支障を生じるという問題があった。
本考案は上記問題点に鑑み、防犯上の問題を解消することができ、安全性に不安が生じることもなくなり、しかも名札を制服の胸に取り付けたり取り外したりする面倒な作業がなくなって、校内での名札の携行率を高めることができる名札装着具を提供することを目的とする。
【課題を解決するための手段】
【０００５】
本考案における課題解決のための具体的手段は、次の通りである。
この技術的課題を解決する本考案の技術的手段は、生徒手帳カバー２の上端部に名札３８を装着可能な名札装着体の上端部が連結されて、名札装着体が生徒手帳カバー２に対して前側から重合するように生徒手帳カバー２と名札装着体との連結部分で屈曲可能とされている点にある。
また、本考案の他の技術的手段は、前記名札装着体が名札３８を収納可能な名札ケース３であり、名札ケース３の上端部が可撓性を有する連結帯６を介して生徒手帳カバー２の上端部に連結されている点にある。
また、本考案の他の技術的手段は、前記名札ケース３は、前シート体２７と後シート体２８とを有し上端側に名札挿入口２９が形成された前後に扁平な袋状とされ、名札ケース３の少なくとも前シート体２７が透明性を有し、後シート体２８の中央部に名札抜取孔３０が形成されている点にある。
また、本考案の他の技術的手段は、前記名札３８は、台布３３の前面側にネームプレート３４とクラスバッジ３５と委員バッチ３６とを取り付けてなり、名札ケース３にその名札挿入口２９から挿脱自在に収納可能とされている点にある。
また、本考案の他の技術的手段は、前記名札３８は、必要事項を印刷可能なカードで構成され、名札ケース３にその名札挿入口２９から挿脱自在に収納可能とされている点にある。
また、本考案の他の技術的手段は、前記名札装着体がネームプレート３４を縫い付け可能な台布４７である点にある。
また、本考案の他の技術的手段は、前記台布４７の前面側にネームプレート３４が縫い付けられると共に、クラスバッジ３５と委員バッチ３６とが取り付けられている点にある。
また、本考案の他の技術的手段は、前記名札装着体が名札３８を縫い付け可能な縫い代４９であり、縫い代４９の上端部が可撓性を有する連結帯６を介して生徒手帳カバー２の上端部に連結され、前記縫い代４９の下端部に、台布３３の前面側にネームプレート３４とクラスバッジ３５と委員バッチ３６とを取り付けてなる名札３８を縫い付けるようにした点にある。
【考案の効果】
【０００６】
請求項１によれば、名札装着体に名札を装着し、制服等の胸ポケットに生徒手帳カバーで被覆した生徒手帳を挿入保持しておくことにより、生徒が校内に入ると、名札装着体に装着した名札を名札装着体と共に胸ポケットの外部に取り出して、名札装着体に装着した名札を胸ポケットの前面側に吊り下げることができる。その結果、校内では名札を制服の胸に吊り下げた状態にして、名札を十分に機能させることができる。
また、生徒が校外にでるときには、名札装着体に装着した名札を名札装着体と共に胸ポケットに収納すればよく、校外では名札を外部のものに見られるおそれもなくなり、防犯上の問題を解消することができる。
また、安全ピンを使用しなくて済むため、安全性に不安が生じることはなくなる。また、名札の表示、非表示の方法として、名札を名札装着体と共に単に胸ポケットから出したり胸ポケットに収めたりすればよく、名札を制服の胸に取り付けたり取り外したりするような面倒な作業がなくなり、名札の携行率を上げることができ、しかも、名札と生徒手帳が一体化することにより、日々の生活の中での名札乃至生徒手帳の必要性が高まり、この点からも名札や生徒手帳を携行する率が上がるし、名札の不携行による生活指導に支障を生じさせることもなくなる。
さらに、生徒の保護者等が従来のように制服の胸に面ファスナーやボタンを取り付ける必要もなくなり、名札を携行する準備のための保護者の作業負担や経済的負担が軽くなる。
請求項２によれば、名札を名札ケースに収納した状態で、胸ポケットから出したり胸ポケットに収めたりすることができ、名札ケースで名札を被覆して名札が汚れるのを効果的に防止することができる。
請求項３によれば、名札ケースを前シート体と後シート体とで簡単に形成できるし、名札挿入口から名札ケースに名札を簡単に出し入れすることができ、名札の取り換えや交換を簡単確実になすことができる。
請求項４によれば、従来からある台布の前面側にネームプレートとクラスバッジと委員バッチとを取り付けてなる名札をそのまま使用することができ、便利である。
請求項５によれば、カードタイプの名札を併用することにより、名札、生徒手帳カバーにかかるコストを大幅に抑えることができる。
請求項６によれば、生徒手帳カバーに連結された台布に従来のネームプレートを直接縫い付けて名札を構成することができて、生徒手帳カバーに連結された台布を名札の一部とすることができ、台布を別に購入する必要がなくなり、経済的である。
請求項７によれば、生徒手帳カバーに連結された台布を名札の一部として名札を簡単に構成することができる。
請求項８によれば、縫い代の下端部に、台布の前面側にネームプレートとクラスバッジと委員バッチとを取り付けてなる名札を縫い付ければよく、従来よりある名札をそのまま使用でき、便利である。また、縫い代の下端部に名札を縫い付けるには、名札の一部を構成する台布の上端部を縫い代の下端部に縫い付ければよく、縫い代の下端部に名札を簡単かつ確実に縫い付けることができる。
【図面の簡単な説明】
【０００７】
【図１】本考案の第１実施形態を示す名札装着具の展開正面図である。
【図２】同名札装着具の斜視図である。
【図３】同名札の正面図である。
【図４】第２実施形態を示す名札の正面図である。
【図５】第３実施形態を示す名札装着具の展開正面図である。
【図６】第４実施形態を示す名札装着具の展開正面図である。
【考案を実施するための形態】
【０００８】
以下、本考案の実施形態を図面に基づいて説明する。
図１〜図３は本考案の第１実施形態を示している。図１及び図２において、名札装着具１は、生徒手帳カバー２と、名札３８を収納可能な名札装着体である名札ケース３とを備えている。
生徒手帳カバー２の上端部に名札ケース３の上端部が可撓性を有する連結帯６を介して連結されて、名札ケース３が生徒手帳カバー２に対して前側から重合するように生徒手帳カバー２と名札ケース３との連結部分（連結帯６）で屈曲可能とされている。なお、連結帯６は可撓性を有する布材、合成樹脂シートその他により構成されている。
前記生徒手帳カバー２は、紺色や黒色等の不透明な合成樹脂シート等により形成され、表表紙挿入部９と裏表紙挿入部１０とを連結部１１で一体に連結してなる。
表表紙挿入部９は外側表シート体１３と内側表シート体１４とを有する扁平な袋状に構成されて、連結部１１側の端部に表表紙挿入口１５が形成されている。表表紙挿入部９の外側表シート体１３には開口窓１７が設けられ、この開口窓１７を塞ぐように透明シート１８が装着されている。
裏表紙挿入部１０は外側裏シート体２１と内側裏シート体２２とを有する扁平な袋状に構成されて、連結部１１側の端部に裏表紙挿入口２３が形成されている。前記名札ケース３は上記の如く連結帯６を介して表表紙挿入部９の上端部に連結されている。
前記名札ケース３は、前シート体２７と後シート体２８とを有し、前シート体２７と後シート体２８との下縁部同士と左右両側縁部同士とが高周波溶着等により互いに固着されて、上端側に名札挿入口２９が形成された前後に扁平な袋状とされている。
名札ケース３の前シート体２７と後シート体２８は透明な合成樹脂シート材により形成されており、名札ケース３全体が透明になっている。後シート体２８の中央部に楕円状又は小判状の名札抜取孔３０が形成されている。
図３に示すように、台布３３の前面側にネームプレート３４を縫い付けると共にクラスバッジ３５と委員バッチ３６とを取り付けて名札３８が構成され、図１に２点鎖線で示すように、名札３８は名札ケース３にその名札挿入口２９から挿脱自在に収納可能とされている。
上記実施形態によれば、名札３８を制服の胸に取り付ける方法として、名札３８を名札挿入口２９から名札ケース３に収納し、図２に示すように、制服の胸ポケット４０に生徒手帳カバー２で被覆した生徒手帳を挿入保持しておけばよい。
そして、生徒が校内に入ると、名札ケース３に収納した名札３８を名札ケース３と共に胸ポケット４０の外部に取り出して、名札ケース３に収納した名札３８を胸ポケット４０の前面側に吊り下げればよく、校内では名札３８を制服の胸に吊り下げた状態にして、名札３８を十分に機能させることができる。
また、生徒が校外にでるときには、名札ケース３に収納した名札３８を名札ケース３と共に胸ポケット４０に収納すればよく、校外では名札３８を外部の者に見られるおそれもなくなり、防犯上の問題を解消することができる。
また、名札３８の表示、非表示の方法として、名札３８を名札ケース３と共に単に胸ポケット４０から出したり胸ポケット４０に収めたりすればよく、名札３８を制服の胸に取り付けたり取り外したりするような面倒な作業がなくなり、名札３８の携行率を上げることができ、しかも、名札３８と生徒手帳が一体化することにより、日々の生活の中での名札３８乃至生徒手帳の必要性が高まり、この点からも名札３８や生徒手帳を携行する率が上がるし、名札３８の不携行による生活指導に支障を生じさせることもなくなる。
また、安全ピンを使用しなくて済むため、安全性に不安が生じることはなくなる。
さらに、生徒の保護者等が従来のように制服の胸に面ファスナーやボタンを取り付ける必要もなくなり、名札３８を携行する準備のための保護者の作業負担や経済的負担が軽くなる。
また、名札３８を名札ケース３に収納した状態で、胸ポケット４０から出したり胸ポケット４０に収めたりすることができ、名札ケース３で名札３８を被覆して名札３８が汚れるのを効果的に防止することができる。
また、名札ケース３は、前シート体２７と後シート体２８とを有し上端側に名札挿入口２９が形成された前後に扁平な袋状とされ、後シート体２８に名札抜取孔３０が形成されているので、名札ケース３を前シート体２７と後シート体２８とで簡単に形成できるし、名札抜取孔３０を利用して、名札３８を名札挿入口２９から名札ケース３に簡単に出し入れすることができ、名札３８の取り換えや交換を簡単確実になすことができる。
また、名札３８は、台布３３の前面側にネームプレート３４とクラスバッジ３５と委員バッチ３６とを取り付けてなり、名札ケース３にその名札挿入口２９から挿脱自在に収納可能とされているので、従来からある台布を用いた名札をそのまま使用することができ、便利である。
図４は第２実施形態を示し、名札３８を、必要事項を印刷可能なカードで構成して、図１及び図２に示す名札ケース３にその名札挿入口２９から挿脱自在に収納可能にしたものである。
この名札３８は、用途に応じた素材、サイズのカードに、必要事項を印刷できるカードタイプの名札であって、前面側に名前４２が印刷されると共に、クラス名４３や委員名４４が印刷されている。また、磁気エンコードやバーコードやＩＣチップなどを付加することで、自治体や学校の状況に応じて、ランチカードや図書室利用カードや購買利用カードなどの機能を付加することができるようになっている。
上記第２実施形態によれば、前記第１実施形態の場合と同様に、防犯上の問題を解消することができ、安全性に不安が生じることもなくなり、しかも名札３８を制服の胸に取り付けたり取り外したりする面倒な作業がなくなって、校内での名札３８の携行率を高めることができる。しかも、カードタイプの名札３８を併用することにより、クラスや委員などは、書き換え式のカードを使えば学校毎での印刷も可能になり、名札３８、生徒手帳カバー２にかかるコストを大幅に抑えることができる。
図５は第３実施形態を示し、名札３８を装着可能な名札装着体としてネームプレート３４を縫い付け可能な台布４７を使用し、生徒手帳カバー２の上端部に台布４７の上端部が連結されて、台布４７が生徒手帳カバー２に対して前側から重合するように生徒手帳カバー２と台布４７との連結部分で屈曲可能とされている。
上記第３実施形態によれば、台布４７の前面側にネームプレート３４を直接縫い付けると共に、クラスバッジ３５と委員バッチ３６とを直接取り付けて、名札３８を構成すればよい。この場合、前記第１実施形態の場合と同様に、防犯上の問題を解消することができ、安全性に不安が生じることもなくなり、しかも名札３８を制服の胸に取り付けたり取り外したりする面倒な作業がなくなって、校内での名札３８の携行率を高めることができる。しかも、生徒手帳カバー２に連結された台布４７を名札３８の一部とすることができ、台布４７を別に購入する必要がなくなり、経済的である。
図６は第４実施形態を示し、名札３８を装着可能な名札装着体として名札３８を縫い付け可能な縫い代４９を使用し、縫い代４９の上端部が可撓性を有する連結帯６を介して生徒手帳カバー２の上端部に連結されて、縫い代４９が生徒手帳カバー２に対して前側から重合するように生徒手帳カバー２と縫い代４９との連結部分（連結帯６）で屈曲可能とされている。
上記第４実施形態によれば、縫い代４９の下端部に、台布３３の前面側にネームプレート３４とクラスバッジ３５と委員バッチ３６とを取り付けてなる名札３８を縫い付ければよい。この場合、前記第１実施形態の場合と同様に、防犯上の問題を解消することができ、安全性に不安が生じることもなくなり、しかも名札３８を制服の胸に取り付けたり取り外したりする面倒な作業がなくなって、校内での名札３８の携行率を高めることができる。また、従来よりある台布を用いた名札をそのまま使用でき、便利である。
なお、前記第１実施形態では、名札ケース３全体が透明になっているが、これに代え、名札ケース３の前シート体２７のみが透明性を有するものとし、後シート体２８を不透明な材料で形成するようにしてもよい。また、前シート体２７は無色透明なものに限定されず、赤色、黄色等で着色された着色透明であってもよく、要するに、名札３８のネームプレート３４の名前４２等が透けて見えるようになっていればよい。
また、前記第１実施形態又は第２実施形態の場合、名札３８を構成するカードや名札ケース３にシールを貼付して名前４２やクラス名４３や委員名４４を表示するようにしてもよい。
また、前記実施形態の図例では、名札ケース３、台布４７又は縫い代４９は生徒手帳カバー２の表表紙挿入部９の上端部に連結されているが、これに代え、名札ケース３、台布４７又は縫い代４９を生徒手帳カバー２の裏表紙挿入部１０の上端部に連結するようにしてもよい。
また、名札を装着可能な名札装着体は、名札ケース３、台布４７又は縫い代４９に限定されず、名札を装着可能な台紙、樹脂シートその他であってもよい。
【符号の説明】
【０００９】
１      名札装着具
２      生徒手帳カバー
３      名札ケース
６      連結帯
２７    前シート体
２８    後シート体
２９    名札挿入口
３０      名札抜取孔
３３    台布
３４    ネームプレート
３５    クラスバッジ
３６    委員バッチ
３８    名札
４７    台布
４９    縫い代
【図１】
0003175100.tif 000003
【図２】
0003175100.tif 000004
【図３】
0003175100.tif 000005
【図４】
0003175100.tif 000006
【図５】
0003175100.tif 000007
【図６】
0003175100.tif 000008